(57)【要約】【課題】  容易に着用でき、且つ、着用時に目立つことがなく、十分に加圧できるリンパ浮腫治療用パンツを提供する。【解決手段】  リンパ浮腫治療用パンツ１Ａは、着用時にウエスト部１０３から股上部１０６ａを覆って密着した状態で位置決めされるパンツ本体３と、シート状に形成されると共にパンツ本体３に張着されて支持され、鼠径部１０４から下腹部１０１にかけてリンパ液の流れを良好にする方向（矢印Ａ方向）に加圧する加圧シート部２Ａと、臀部下方から左右に帯状にパンツ本体３に張着されて支持され、臀部をウエスト方向に押上げるサポート帯とを備える。患者１００がリンパ浮腫治療用パンツ１Ａを着用するだけで、容易に着用可能であり、且つ、着用時に目立つことがないものでありながら、患者１００の下腹部１０１や鼠径部１０４をリンパ液の流れを良好にする方向に十分に加圧する。【選択図】      図１
0003113423.tif 000002
【実用新案登録請求の範囲】
【請求項１】
着用時に患者のウエスト部から股上部を覆って密着した状態で位置決めされる位置決め部と、
シート状に形成されると共に前記位置決め部に張着されて支持され、患者の鼠径部及び下腹部をリンパ液の流れを良好にする方向に加圧する加圧部と、
患者の臀部下方から左右に帯状に張着されて前記位置決め部に、臀部をウエスト部方向に押上げる臀部押上げ部と、を備え、パンツ状に形成された、
ことを特徴とするリンパ浮腫治療用パンツ。
【請求項２】
患者の大腿部の中間より上方を覆う短型裾部を備えた、
ことを特徴とする請求項１に記載のリンパ浮腫治療用パンツ。
【請求項３】
患者の膝上より上方の大腿部を覆う長型裾部を備えた、
ことを特徴とする請求項１に記載のリンパ浮腫治療用パンツ。
【請求項４】
前記加圧部が二重のシート状に形成された、
ことを特徴とする請求項１乃至３のいずれか１項に記載のリンパ浮腫治療用パンツ。
【請求項５】
装着時に上下方向となる縫目を有し、且つ、患者の下腹部の形状に合わせて形成されたクッションを２枚備え、前記２枚のクッションが上方に向けて開口された開口部を有するように袋状に縫合され、前記開口部に手を挿入しながら、前記請求項１乃至４のいずれか１項に記載のリンパ浮腫治療用パンツの加圧部の内側に患者の腹部を加圧するように装着し得る、
ことを特徴とするリンパ浮腫治療用腹部パット。
【考案の詳細な説明】
【技術分野】
【０００１】
本考案は、リンパ浮腫によるむくみを和らげることを目的とする、リンパ浮腫治療用パンツ、リンパ浮腫治療用腹部パットに関する。
【背景技術】
【０００２】
一般に、リンパ浮腫には様々な原因があるとされているが、主として、癌手術によるリンパ節の切除や放射線照射によるリンパ管の破損などによって、リンパ管が閉塞して起こる場合が多い。リンパ液を貯留するリンパ管が閉塞されると、リンパ循環が阻害され、皮下組織内にリンパ液が滞留して浮腫が生じる。
【０００３】
リンパ浮腫によるむくみを和らげる治療として、薬物療法は即効性を期待できないのが現状であり、むくんだ患部を挙上する、動かす又は刺激する（リンパ誘導マッサージ等）などしてむくみを軽減し、軽減状態を維持するために該患部を圧迫し、リンパ液の流れを改善するものなどが知られている。
【０００４】
このような治療に用いられるものとして、種々の弾性ストッキング又は弾性スリーブが存在する。また、このような弾性ストッキング又は弾性スリーブの中には、本体にベルトが複数本備えられたもの（例えば特許文献１）もあり、これらのベルトを締め付けることにより、むくんだ患部をその外側から加圧し、リンパ液の流れを改善することでむくみを和らげている。
【０００５】
【特許文献１】特表平１１−５０１８２８号公報
【考案の開示】
【考案が解決しようとする課題】
【０００６】
しかし、上述したような弾性ストッキングや弾性スリーブは、普通のストッキングやスリーブとは異なり、伸縮性が強かったり、身体を覆う部分が長かったりしていて、着用補助グッズが存在する程、患者によっては着用が困難な場合が多い。
【０００７】
また、上述したような弾性ストッキングや弾性スリーブは、圧力の強さにより種類が分かれているため、選択が多様化することで患者が負担に感じる虞がある。
【０００８】
また、上述したような複数のベルトを備えた弾性ストッキングや弾性スリーブは、着用すると上述のベルトがかさ張ってしまうため、目立ってしまうという問題がある。そのため、患者の精神的苦痛に対する配慮に欠ける虞があった。
【０００９】
そこで、本考案は、容易に着用でき、且つ、着用時に目立つことがなく、十分に加圧できるリンパ浮腫治療用パンツ、リンパ浮腫治療用腹部パットを提供することを目的とする。
【課題を解決するための手段】
【００１０】
上記課題を解決するため、請求項１に係る本考案は（例えば図１乃至図３参照）、着用時に患者（１００）のウエスト部（１０３）から股上部（１０６ａ）を覆って密着した状態で位置決めされる位置決め部（３）と、シート状に形成されると共に前記位置決め部（３）に張着されて支持され、患者の鼠径部（１０４）及び下腹部（１０１）をリンパ液の流れを良好にする方向（例えば矢印Ａ方向、矢印Ｃ方向）に加圧する加圧部（２Ａ、２Ｂ）と、患者（１００）の臀部（１０５）下方から左右に帯状に張着されて前記位置決め部（３）に、臀部（１０５）をウエスト部方向（例えば矢印Ｂ方向）に押上げる臀部押上げ部（４）と、を備え、パンツ状に形成された、
ことを特徴とするリンパ浮腫治療用パンツ（１Ａ、１Ｂ）にある。
【００１１】
請求項２に係る本考案は（例えば図１及び図２参照）、患者（１００）の大腿部の中間より上方（１０７）を覆う短型裾部（５Ａ）を備えた、
ことを特徴とする請求項１に記載のリンパ浮腫治療用パンツ（１Ａ）にある。
【００１２】
請求項３に係る本考案は（例えば図３参照）、患者（１００）の膝上より上方の大腿部（１０８）を覆う長型裾部（５Ｂ）を備えた、
ことを特徴とする請求項１に記載のリンパ浮腫治療用パンツ（１Ｂ）にある。
【００１３】
請求項４に係る本考案は（例えば図３参照）、前記加圧部（２Ｂ）が二重のシート状に形成された、
ことを特徴とする請求項１乃至３のいずれか１項に記載のリンパ浮腫治療用パンツ（１Ｂ）にある。
【００１４】
請求項５に係る本考案は、（例えば図４参照）、装着時に上下方向（例えば矢印Ｆ方向）となる縫目（３１）を有し、且つ、患者（１００）の下腹部（１０１）の形状に合わせて形成されたクッション（３３，３４）を２枚備え、前記２枚のクッション（３３，３４）が上方に向けて開口された開口部（３２）を有するように袋状に縫合され、前記開口部（３２）に手を挿入しながら、前記請求項１乃至４のいずれか１項に記載のリンパ浮腫治療用パンツ（１Ａ，１Ｂ）の加圧部（２Ａ，２Ｂ）の内側に患者の腹部を加圧するように装着し得る、
ことを特徴とするリンパ浮腫治療用腹部パット（３０）にある。
【００１５】
なお、上記カッコ内の符号は、図面と対照するためのものであるが、これは、考案の理解を容易にするための便宜的なものであり、実用新案登録請求の範囲の構成に何等影響を及ぼすものではない。
【考案の効果】
【００１６】
請求項１に係る本考案によると、患者が本リンパ浮腫治療用パンツを着用することで、シート状に形成されると共に位置決め部に張着されて支持された加圧部が、患者の鼠径部及び下腹部をリンパ液の流れを良好にする方向に加圧するので、患者の鼠径部や下腹部におけるリンパ液の流れを特に心臓方向に向けて補助する形で、その流れを良好にすることができ、リンパ液が溜まることを防ぐことができて、むくみを和らげることができる。また、臀部押上げ部が患者の臀部下方から左右に帯状に臀部をウエスト部方向に押上げるので、患者が下半身に感じる鈍重感を緩和することができ、腰の負担も和らげることができる。更に、パンツ形状に形成されているので、下着として着用できると共に、容易に着用することができ、且つ着用した際に目立つことを防ぐことができる。また、臀部押上げ部が臀部を支えるので、尻の形を良く見せることもできる。
【００１７】
請求項２に係る本考案によると、患者の大腿部の中間より上方を覆う短型裾部が、患者の大腿部の中間より上方をリンパ液の流れを良好にする方向に加圧するので、大腿部の上方におけるリンパ液の流れを良好にすることができ、より効果的にむくみを和らげることができる。
【００１８】
請求項３に係る本考案によると、患者の膝上より上方の大腿部を覆う長型裾部が、患者の膝上より上方の大腿部をリンパ液の流れを良好にする方向に加圧するので、大腿部の全体におけるリンパ液の流れを良好にすることができ、更に効果的にむくみを和らげることができる。
【００１９】
請求項４に係る本考案によると、二重のシート状に形成された加圧部が、患者の鼠径部及び下腹部をリンパ液の流れを良好にする方向により強く加圧するので、リンパ液の流れをより良好にすることができ、リンパ液が鼠径部に溜まることをより効果的に防ぐことができて、むくみを和らげることができる。
【００２０】
請求項５に係る本考案によると、特に女性の患者がリンパ浮腫治療用パンツの加圧部の内側に装着することで、患者の下腹部への加圧をより強くすると共に、上下方向に向いた縫目がリンパ液の流れを阻害せずに良好にする方向に加圧するので、下腹部におけるリンパ液の流れをより良好にすることができ、リンパ液が溜まることを防ぐことができて、むくみを和らげることができる。また、患者の下腹部の形状に合わせて形成された２枚のクッションが、上方に向けて開口されるように袋状に縫合されており、開口部に手を挿入しながら装着できるので、容易に位置合わせができると共に、簡単に装着することができる。
【考案を実施するための最良の形態】
【００２１】
以下、本考案を実施するための最良の形態について、図面を用いて詳細に説明する。
【００２２】
＜実施の形態１＞
以下、本考案に係る実施の形態１を図１及び図２に沿って説明する。図１は実施の形態１に係るリンパ浮腫治療用パンツを示す正面図、図２は実施の形態１に係るリンパ浮腫治療用パンツを示す背面図である。
【００２３】
なお、以下の説明において、例えば患者１００の身体の各部について、胴体前側の下方付近における図１中破線で示す部分１０１を「下腹部」、下腹部１０１の下方側で股付近における図１及び図２中破線で示す部分１０２を「陰部」、骨盤よりも上方で胸郭よりも下方である胴回りの中間部分における図１及び図２中破線で示す部分１０３を「ウエスト部」、上記下腹部１０１の左右両側であって両足付根の前側付近における図１中破線で示す部分１０４を「鼠径部」、胴体後側のウエスト部１０３よりも下方で陰部１０２より後側上方における図２中破線で示す部分１０５を「臀部」、上記鼠径部１０４付近、及び上記臀部の下方側を境界として図１及び図２中破線１０６よりも上側部分１０６ａを「股上部」、該破線１０６よりも下側部分１０６ｂを「股下部」という。
【００２４】
図１及び図２に示すように、本考案に係るリンパ浮腫治療用パンツ１Ａは、女性が着用するに好適であり、パンツ本体（位置決め部）３と、加圧シート部（加圧部）２Ａと、サポート帯（臀部押上げ部）４と、左右のスパッツ部（短型裾部）５Ａ，５Ａとが縫い合わされて構成されている。
【００２５】
上記パンツ本体３は、例えば弱い伸縮性を有する素材で形成されており、患者１００のウエスト部１０３の下方側で、且つ下腹部１０１及び臀部１０５を含む股上部１０６ａを覆って密着する形状に形成されている。
【００２６】
また、図１に示すように、上記パンツ本体３の患者１００の前側に位置する部分、特に下腹部１０１から鼠径部１０４の少なくとも一部を覆う部分には、加圧シート部２Ａが引っ張られた形で縫い合わされている（即ち、張着されて支持されている）。この加圧シート部２Ａは、例えばパンツ本体３の素材よりも強い伸縮性を有する素材、いわゆるパワーネットで形成されており、パンツ本体３に対して上方側左右に向けて徐々に引っ張り圧が強くなるように縫い合わされている。
【００２７】
一方、図２に示すように、サポート帯４は、例えば上記パンツ本体３よりもやや強い伸縮性を有する素材で形成されており、臀部１０５の下方部分から左右の両横部分にかけて該臀部１０５に沿ってパンツ本体３に縫い合わされている。このサポート帯４は、左右の両横部分が上方に引っ張られた状態でパンツ本体３に縫い合わされている（張着されて支持されている）。
【００２８】
なお、加圧シート部２Ａやサポート帯４は、パンツ本体３に対して重なるように（つまり二重となるように）縫い合わされていてもよいが、パンツ本体３との伸縮性の違いによりシワを生じる虞があるので、パンツ本体３が切り抜かれた形で、その切り抜かれた部分に縫い合わされている方がより好ましい。
【００２９】
上記スパッツ部５Ａ，５Ａは、例えば上記パンツ本体３よりもやや強い伸縮性を有する素材で形成されており、股下部１０６ｂから膝までに位置する大腿部の略々中間より上側部分である大腿部上側部分１０７を覆うような長さに形成されて、上記パンツ本体３の下方部分の両足付根部分（鼠径部１０４付近）にそれぞれ縫い合わされている。即ち、該スパッツ部５Ａは、２つの略々円筒形状に形成されて、両足の大腿部上側部分１０７を覆って締め付けるように構成されている。
【００３０】
本リンパ浮腫治療用パンツ１Ａを患者１００が着用すると、パンツ本体３が密着することによりウエスト部１０３（或いは臀部１０５）に対して位置決めされると共に、患者１００の下腹部１０１及び鼠径部１０４に密着する加圧シート部２Ａが該パンツ本体３に位置決め支持されながら下腹部１０１及び鼠径部１０４を矢印Ａ方向に引っ張る形で加圧する。このように矢印Ａ方向に引っ張って加圧することで、リンパ液が皮下組織内に溜まることを防ぐように加圧して、また、リンパ液の流れを心臓方向に向けて補助する形で良好にする。
【００３１】
また、サポート帯４がパンツ本体３に位置決め支持されながら臀部１０５を下方側より矢印Ｂ方向であるウエスト部１０３方向（即ち略々上方側）に押上げる。更に、スパッツ部５Ａ，５Ａが大腿部上側部分１０７を締め付け、リンパ液が皮下組織内に溜まることを防ぐように加圧して、リンパ液の流れを良好にする方向に加圧する。
【００３２】
以上説明した本リンパ浮腫治療用パンツ１Ａによると、加圧シート部２Ａにより患者１００の鼠径部１０４や下腹部１０１におけるリンパ液の流れを特に心臓方向に向けて補助する形で加圧することができ、リンパ液の流れを良好にすることができ、リンパ液が溜まることを防ぐことができて、むくみを和らげることができる。また、サポート帯４が患者１００の臀部１０５の下方から左右に帯状に臀部１０５をウエスト部１０３方向に押上げるので、患者１００が下半身に感じる鈍重感を緩和することができ、腰の負担も和らげることができる。
【００３３】
更に、本リンパ浮腫治療用パンツ１Ａは、パンツ形状に形成されているので、下着として着用できると共に、容易に着用することができ、且つ着用した際に目立つことを防ぐことができる。また、サポート帯４が臀部を支えるので、尻の形を良く見せることもできる。また、スパッツ部５Ａ，５Ａが、患者１００の大腿部上側部分１０７をリンパ液の流れを良好にする方向に加圧するので、大腿部の上方におけるリンパ液の流れを良好にすることができ、より効果的にむくみを和らげることができる。
【００３４】
なお、通常は、本リンパ浮腫治療用パンツ１Ａを着用する前に、患部の挙上やリンパ誘導マッサージをしてむくみを軽減し、その状態を圧迫して維持するために本リンパ浮腫治療用パンツ１Ａを着用することが望ましいが、これに限らず、患者１００が本リンパ浮腫治療用パンツ１Ａを着用したまま、運動をしたり日常動作を行ったりするだけでも幹部の挙上やリンパ誘導マッサージに似た効果も得られる。
【００３５】
また、本リンパ浮腫治療用パンツ１Ａは、これ単体で使用する場合、患者の病状が軽度の場合に用いて好適であるが、後述のリンパ浮腫治療用腹部パット、或いは鼠径部１０４を加圧するようなベルト等と組合せ使用することも併せて、病状が重度の場合に対応することも可能となる。
【００３６】
＜実施の形態２＞
ついで、上記実施の形態１を一部変更した実施の形態２について、図３に沿って説明する。図３は実施の形態２に係るリンパ浮腫治療用パンツを示す正面図である。なお、以下に説明する実施の形態２に係るリンパ浮腫治療用パンツ１Ｂにおいては、実施の形態１に係るリンパ浮腫治療用パンツ１Ａと略々同様の構成であるので、同様な部分には同符号を付して、その説明を省略し、相違する部分だけを説明する。
【００３７】
図３に示すように、本リンパ浮腫治療用パンツ１Ｂは、同様に女性が着用するに好適であり、前述のリンパ浮腫治療用パンツ１Ａの加圧シート部２Ａの部分に、更にパワーネットを重ねて縫い合わせ、加圧シート部２Ｂを二重のシート状に形成したものである。また、前述のスパッツ部５Ａ，５Ａに換えて、該スパッツ部５Ａ，５Ａよりも長く、股下部１０６ｂから膝の上までに位置する大腿部の略々全体部分１０８を覆うような長さに形成されたスパッツ部（長型裾部）５Ｂ，５Ｂを備えて構成したものである。なお、本リンパ浮腫治療用パンツ１Ｂの後側には、実施の形態１と同様のサポート帯４が備えられている。
【００３８】
本リンパ浮腫治療用パンツ１Ｂを患者１００が着用すると、患者１００の下腹部１０１及び鼠径部１０４に密着し、二重のシート状からなる加圧シート部２Ｂが、該パンツ本体３に位置決め支持されながら下腹部１０１及び鼠径部１０４を前述の加圧シート部２Ａよりも強い張力の矢印Ｃ方向に引っ張る形で加圧する。このように矢印Ｃ方向に引っ張って加圧することで、リンパ液が皮下組織内に溜まることを防ぐようにより強く加圧して、また、リンパ液の流れを心臓方向に向けてより強く補助する形で良好にする。
【００３９】
また、スパッツ部５Ｂ，５Ｂが大腿部の略々全体部分１０８を締め付け、リンパ液が皮下組織内に溜まることを防ぐように加圧して、略々大腿部全体のリンパ液の流れを良好にする方向に加圧する。
【００４０】
以上説明した本リンパ浮腫治療用パンツ１Ｂによると、加圧シート部２Ｂにより患者１００の鼠径部１０４や下腹部１０１におけるリンパ液の流れを特に心臓方向に向けて補助する形でより強く加圧することができ、リンパ液の流れをより良好にすることができ、リンパ液が溜まることを防ぐことができて、むくみを和らげることができる。また、サポート帯４が患者１００の臀部１０５の下方から左右に帯状に臀部１０５をウエスト部１０３方向に押上げるので、患者１００が下半身に感じる鈍重感を緩和することができ、腰の負担も和らげることができる。
【００４１】
更に、本リンパ浮腫治療用パンツ１Ｂは、パンツ形状に形成されているので、下着として着用できると共に、容易に着用することができ、且つ着用した際に目立つことを防ぐことができる。また、サポート帯４が臀部を支えるので、尻の形を良く見せることもできる。また、スパッツ部５Ｂ，５Ｂが、患者１００の大腿部の略々全体部分１０８をリンパ液の流れを良好にする方向に加圧するので、大腿部全体におけるリンパ液の流れを良好にすることができ、更に効果的にむくみを和らげることができる。
【００４２】
なお、実施の形態１と同様に、患者１００が本リンパ浮腫治療用パンツ１Ｂを着用したまま、運動をしたり日常動作を行ったりするだけでも幹部の挙上やリンパ誘導マッサージに似た効果も得られる。
【００４３】
また、本リンパ浮腫治療用パンツ１Ｂは、これ単体で使用する場合、患者の病状が中度の場合に用いて好適であるが、後述のリンパ浮腫治療用腹部パット、或いは鼠径部１０４を加圧するようなベルト等と組合せ使用することも併せて、病状が重度の場合に対応することも可能となる。
【００４４】
＜実施の形態３＞
つづいて、本考案に係る実施の形態３について、図４に沿って説明する。図４は本実施の形態３に係るリンパ浮腫治療用腹部パットを示す正面図である。
【００４５】
図４に示すように、本リンパ浮腫治療用腹部パット３０は、上述の実施の形態１又は２に係るリンパ浮腫治療用パンツ１Ａ（又は１Ｂ）を着用した女性の患者が使用するに好適であり、２枚のクッション３３，３４を備えて構成されている。
【００４６】
各クッション３３、３４は、概ね患者１００の下腹部１０１の形状に合わせた平面視略逆三角形状に形成されている。また、各クッション３３、３４は、内部にウレタンフォームが詰められて形成されていると共に、装着時に上下方向となる縫目３１を有して内部のウレタンフォームが偏らないように形成されており、縫目３１と縫目３１との間に凸形状が形成されて、つまり縦方向の蒲鉾形状が並列に存するように形成されている。
【００４７】
２枚のクッション３３，３４は、両横部分及び下方部分が縫目３５により互いに縫い合わされて、上方に向けて開口された開口部３２を有するように縫い合わされており、つまりリンパ浮腫治療用腹部パット３０は、袋部３６を有する袋状に形成されている。
【００４８】
本リンパ浮腫治療用腹部パット３０を装着する際は、まず、患者が上記リンパ浮腫治療用パンツ１Ａ（又は１Ｂ）を着用し、その後、開口部３２より袋部３６に手を挿入して、上記リンパ浮腫治療用パンツ１Ａ（又は１Ｂ）の加圧部２Ａ（又は２Ｂ）の内側にその手を挿入する形で該リンパ浮腫治療用腹部パット３０を装着する。
【００４９】
これにより、上記リンパ浮腫治療用パンツ１Ａ（又は１Ｂ）の加圧部２Ａ（又は２Ｂ）の加圧（張力）によってリンパ浮腫治療用腹部パット３０が下腹部１０１に押し付けられて、下腹部１０１を加圧する。この際、上述のようにクッション３３，３４の縫目３１が上下方向となるので、矢印Ｆ方向、即ち心臓方向にリンパ液の流れを補助する形で、リンパ液の流れを良好にする。
【００５０】
なお、例えばクッション３３，３４に横方向の縫目を設けると、クッション３３，３４の表面に横方向の凹凸ができてしまうため、リンパ液の流れを阻害する虞がある。また、縫目を全く設けないと、クッション３３，３４内にあるウレタンフォームが偏って、結果的に横方向の凹凸が生じてしまう虞がある。そのため、本リンパ浮腫治療用腹部パット３０においては、上下方向のみに縫目が設けられている。
【００５１】
また、クッション３３，３４は同形状に形成されており、つまり患者が本リンパ浮腫治療用腹部パット３０を装着する際に、表裏を選ぶ必要がないように構成されている。
【００５２】
更に、上述の袋部３６は、患者の手の大きさを考慮した適宜な大きさであることが好ましいが、少なくとも指が挿入し得る大きさであれば、同様に使用できることはいうまでもない。
【００５３】
以上説明した本リンパ浮腫治療用腹部パット３０によると、特に女性の患者がリンパ浮腫治療用パンツ１Ａ（又は１Ｂ）の加圧部２Ａ（又は２Ｂ）の内側に装着することで、患者の下腹部１０１への加圧をより強くすると共に、上下方向に向いた縫目がリンパ液の流れを阻害せずに良好にする方向に加圧するので、下腹部１０１におけるリンパ液の流れをより良好にすることができ、リンパ液が溜まることを防ぐことができて、むくみを和らげることができる。また、患者の下腹部１０１の形状に合わせて形成された２枚のクッション３３，３４が、上方に向けて開口されるように袋状に縫合されており、開口部３２に手を挿入しながら装着できるので、容易に位置合わせができると共に、簡単に装着することができる。
【００５４】
なお、以上説明した本実施の形態３に係るリンパ浮腫治療用腹部パット３０は、リンパ浮腫治療用パンツ１Ａ（又は１Ｂ）と組み合わせて用いるものであって、患者の病状が（特に下腹部において）更に重度の場合に用いて好適であり、着用しても目立つことがなく、患者の下腹部１０１や鼠径部１０４をリンパ液の流れを良好にする方向に加圧することができ、むくみを和らげることができる。
【００５５】
また、本実施の形態３に係るリンパ浮腫治療用腹部パット３０においては、クッション３３，３４の内部にウレタンフォームが詰められて形成されているものを説明したが、これに限らず、例えば綿等を用いてもよく、つまり通気性のある、肌に優しい素材で、且つ面圧を掛けられるものであれば、どのようなものであってもよい。
【００５６】
以上、本考案をその好適な各実施の形態に基づいて説明したが、本考案のリンパ浮腫治療用パンツ、リンパ浮腫治療用腹部パットは、上記各実施の形態の構成にのみ限定されるものではなく、上記実施の形態の構成から種々の修正及び変更を施したものに用いられるものも、本考案の請求の範囲に含まれる。
【図面の簡単な説明】
【００５７】
【図１】実施の形態１に係るリンパ浮腫治療用パンツを示す正面図である。
【図２】実施の形態１に係るリンパ浮腫治療用パンツを示す背面図である。
【図３】実施の形態２に係るリンパ浮腫治療用パンツを示す正面図である。
【図４】実施の形態３に係るリンパ浮腫治療用腹部パットを示す正面図である。
【符号の説明】
【００５８】
１Ａ    リンパ浮腫治療用パンツ
１Ｂ    リンパ浮腫治療用パンツ
２Ａ    加圧部（加圧シート部）
２Ｂ    加圧部（二重の加圧シート部）
３    位置決め部（パンツ本体）
４    臀部押上げ部（サポート帯）
５Ａ    短型裾部（スパッツ部）
５Ｂ    長型裾部（スパッツ部）
３０    リンパ浮腫治療用腹部パット
３１    縫目
３２    開口部
３３    クッション
３４    クッション
１００    患者
１０１    下腹部
１０２    陰部
１０３    ウエスト部
１０４    鼠径部
１０５    臀部
１０６ａ    股上部
１０６ｂ    股下部
１０７    大腿部の中間より上側部分
１０８    膝上より上方の大腿部
【図１】
0003113423.tif 000003
【図２】
0003113423.tif 000004
【図３】
0003113423.tif 000005
【図４】
0003113423.tif 000006